(57)【要約】　　　（修正有）【課題】始動領域の球通過を駆動契機とする開閉部材の開放時に、可変入賞装置の上部の天入賞口に入賞した遊技球による大当り発生のチャンスが失われないようにしたパチンコ遊技機の提供。【解決手段】開放位置に変換された左右一対の開閉部材の内端相互間に生ずる空隙部を遊技球の振分け空隙部とし、入賞ケースの上部に振分け空隙部と連通する天入賞口を設け、振分け空隙部の後側に位置する入賞ケースの壁面に一般入賞孔を設け、さらに開閉部材の内端部に閉鎖位置で遊技球を一般入賞孔に導く誘導溝を設け、支持壁の振分け空隙部に臨む部分に閉鎖作動領域と連通する球通過孔を設け、天入賞口から振分け空隙部に流入した遊技球を支持壁の球通過孔から閉鎖作動領域へ流入させ、開閉部材が閉鎖位置に変換された状態で、開閉部材の内端部で支持壁の球通過孔を塞ぎ、かつ内端部の誘導溝によって、天入賞口から振分け空隙部に流入した遊技球を一般入賞孔に流入させる。【選択図】　図２
2004016748.tif 000002
【特許請求の範囲】
【請求項１】
入賞ケースの上部位置に一般入賞口が設けられるとともに、入賞ケースの左右両側に開口された大入賞口に、支持壁上に摺動可能に支持されて、外側方に突出して大入賞口を開放する開放位置と、内側方に後退して大入賞口を閉鎖する閉鎖位置とに変換される左右一対の開閉部材が配設され、かつ、入賞ケース内で支持壁の下部に、大入賞口によって外部と連通する閉鎖作動領域が形成された可変入賞装置を備えてなり、所定始動条件の成立を契機として前記開閉部材が所定開閉態様で開閉駆動されるパチンコ遊技機において、
開放位置に変換された左右一対の開閉部材の内端相互間に生ずる空隙部を遊技球の振分け空隙部とし、入賞ケースの上部に該振分け空隙部と連通する天入賞口を設けるとともに、振分け空隙部の後部側に位置する入賞ケースの壁面に一般入賞孔を設け、さらに開閉部材の内端部に閉鎖位置で遊技球を該一般入賞孔に導く誘導溝を設ける一方、支持壁の振分け空隙部に臨む部分に閉鎖作動領域と連通する球通過孔を設けてなり、開閉部材が開放位置に変換された状態で、天入賞口から振分け空隙部に流入した遊技球を支持壁の球通過孔から閉鎖作動領域へ流入させる一方、開閉部材が閉鎖位置に変換された状態で、該開閉部材の内端部で支持壁の球通過孔を塞ぎ、かつ該内端部の誘導溝によって、天入賞口から振分け空隙部に流入した遊技球を一般入賞孔に流入させるようにしたことを特徴とするパチンコ遊技機。
【請求項２】
入賞ケースの上部位置に一般入賞口が設けられるとともに、入賞ケースの左右両側に開口された大入賞口に、支持壁上に摺動可能に支持されて、外側方に突出して大入賞口を開放する開放位置と、内側方に後退して大入賞口を閉鎖する閉鎖位置とに変換される左右一対の開閉部材が配設され、かつ、入賞ケース内で支持壁の下部に、大入賞口によって外部と連通する閉鎖作動領域が形成され、さらに、該閉鎖作動領域内に一般領域と特定領域とが設けられた可変入賞装置と、遊技球の通過により前記開閉部材を開閉させる始動領域とを備えてなり、該始動領域の球通過を駆動契機とする開閉部材の開放駆動により大入賞口から閉鎖作動領域内に流入した遊技球が特定領域を通過した場合に、開閉部材が所定開閉態様で開閉駆動される特別開放作動を発生させるとともに、該特別開放作動中にあって、開閉部材の開放駆動開始から所定終了条件の成立を契機として開閉部材の開放駆動が終了する開閉ラウンドを、特定領域の球通過を条件として、所定回数継続するようにしたパチンコ遊技機において、
開放位置に変換された左右一対の開閉部材の内端相互間に生ずる空隙部を遊技球の振分け空隙部とし、入賞ケースの上部に該振分け空隙部と連通する天入賞口を設けるとともに、振分け空隙部の後部側に位置する入賞ケースの壁面に一般入賞孔を設け、さらに開閉部材の内端部に閉鎖位置で遊技球を該一般入賞孔に導く誘導溝を設ける一方、支持壁の振分け空隙部に臨む部分に閉鎖作動領域と連通する球通過孔を設けてなり、開閉部材が開放位置に変換された状態で、天入賞口から振分け空隙部に流入した遊技球を支持壁の球通過孔から閉鎖作動領域へ流入させる一方、開閉部材が閉鎖位置に変換された状態で、該開閉部材の内端部で支持壁の球通過孔を塞ぎ、かつ該内端部の誘導溝によって、天入賞口から振分け空隙部に流入した遊技球を一般入賞孔に流入させるようにしたことを特徴とするパチンコ遊技機。
【請求項３】
支持壁の球通過孔を、特定領域と上下で略一致する位置に設けたことを特徴とする請求項２に記載したパチンコ遊技機。
【発明の詳細な説明】
【０００１】
【発明の属する技術分野】
本発明は、大入賞口を開閉する開閉部材が、所定始動条件の成立を契機として所定開閉態様で開閉駆動される可変入賞装置を備えたパチンコ遊技機に関する。
【０００２】
【従来の技術】
大入賞口を開閉する開閉部材を備え、かつ該大入賞口により外部と連通する閉鎖作動領域内に一般領域と特定領域とを備えた可変入賞装置と、遊技球の通過により前記開閉部材を開閉させる始動領域とを備えてなり、該始動領域を遊技球が通過すると、開閉部材が１回若しくは２回の瞬時的な往復開閉駆動を行ない、その開閉時に大入賞口から閉鎖作動領域内に流入した遊技球が特定領域を通過した場合に、開閉部材が連続的に往復開閉駆動される大当りとしての特別開放作動を発生させるとともに、該特別開放作動中にあって、開閉部材の開放駆動開始から、開閉部材の所定制限開閉回数の開閉満了、大入賞口からの規定個数の入賞満了、又は遊技球の特定領域の通過の何れかの終了条件の成立を契機として開閉部材の開放駆動が終了する開閉ラウンドを、特定領域の球通過を条件として、所定回数継続するようにしたパチンコ遊技機は、いわゆる第二種パチンコ遊技機として知られている。
【０００３】
この種のパチンコ遊技機にあっては、可変入賞装置の閉鎖作動領域内で、大入賞口から特定領域に至る球流路に、遊技球の特定領域の通過を容易とする状態と、困難とする状態を可変的に生じるように作動する種々の誘導部材が配設されており、該誘導部材によって、始動領域の球通過を駆動契機とする開閉部材の開放駆動により大入賞口から閉鎖作動領域内に流入した遊技球の流れ，動きに変化を生じさせて、該遊技球が特定領域を通過するか否か、即ち特別開放作動が発生するか否かを演出するようにしている。
【０００４】
また、図８に示すように、可変入賞装置ａの上部には、一般入賞口ｂが一体的に設けられるのが普通であり、該一般入賞口ｂより下方の左右両側に、開閉部材ｃ，ｃにより開閉制御される大入賞口ｄ，ｄが設けられている。
【０００５】
一方、第一種パチンコ遊技機、或いは第三種パチンコ遊技機にあっても、開閉部材により開閉制御される大入賞口を備えた可変入賞装置が用いられるが、第二種パチンコ遊技機とは異なり、大当りとしての特別遊技作動の発生に伴って開閉部材が所定開閉態様で開閉駆動されるようになっている。
【０００６】
【発明が解決しようとする課題】
ところで、特に第二種パチンコ遊技機にあっては、始動領域の球通過を駆動契機とする開閉部材の開放駆動時に、大入賞口から閉鎖作動領域内に流入した遊技球が唯一の固定的な領域からなる特定領域を通過することによってのみ、大当りとしての特別開放作動が発生するため、始動領域の球通過を駆動契機とする開閉部材の開放駆動時に、大入賞口に遊技球を入賞させることが最も重要である。しかしながら、始動領域の球通過を駆動契機として開放される開閉部材は、その開放時間が極めて短いため、遊技者はいつ開閉部材が開放されてもよいように、常に可変入賞装置の近辺に遊技球を近寄らせることに留意して球発射操作を行っているのであるが、可変入賞装置の上部には一般入賞口ｂ（図８参照）が設けられていることにより、大入賞口ｄ，ｄの開放時に、該一般入賞口ｂに遊技球が入賞してしまうと、折角、可変入賞装置の近辺に近寄った遊技球が大入賞口ｄ，ｄに入賞しなくなり、大当り発生のチャンスが失われることとなる。このため、大入賞口ｄ，ｄの開放時において一般入賞口ｂに遊技球が入賞すると、遊技者は大きな落胆感を抱くこととなり、遊技意欲が低下するという問題点がある。
【０００７】
一方、第二種パチンコ遊技機における可変入賞装置は、図８に示すように、左右方向に往復駆動される左右一対の開閉部材ｃ，ｃによって大入賞口ｄ，ｄを開閉制御するように構成したものや、左右一対の開閉翼片からなる開閉部材を往復回動駆動させて大入賞口を開閉制御するように構成したものが用いられており、また、第一種パチンコ遊技機及び第三種パチンコ遊技機における可変入賞装置としては、横長矩形状の開閉片からなる開閉部材を、下端を支点として前後方向に起伏させることにより、大入賞口を開閉制御するように構成したものや、左右一対の開閉翼片からなる開閉部材を往復回動駆動させて大入賞口を開閉制御するように構成したものが用いられている。しかしながら、これらの可変入賞装置は、何れの構成にあっても、遊技球の入賞は、開閉部材の開閉駆動により開放された大入賞口からの流入に限られており、さらに、デザインは違っても、その基本的な構造が夫々殆ど同じであって、長年に亘り恒常的に使用されていることにより、作動態様の斬新性や興趣性が喪失して、遊技者に飽きられつつあるという問題点がある。
【０００８】
本発明は、かかる従来の問題点を解消し得る可変入賞装置を備えたパチンコ遊技機を提供することを目的とするものである。
【０００９】
【課題を解決するための手段】
本発明は、入賞ケースの上部位置に一般入賞口が設けられるとともに、入賞ケースの左右両側に開口された大入賞口に、支持壁上に摺動可能に支持されて、外側方に突出して大入賞口を開放する開放位置と、内側方に後退して大入賞口を閉鎖する閉鎖位置とに変換される左右一対の開閉部材が配設され、かつ、入賞ケース内で支持壁の下部に、大入賞口によって外部と連通する閉鎖作動領域が形成された可変入賞装置を備えてなり、所定始動条件の成立を契機として前記開閉部材が所定開閉態様で開閉駆動されるパチンコ遊技機において、開放位置に変換された左右一対の開閉部材の内端相互間に生ずる空隙部を遊技球の振分け空隙部とし、入賞ケースの上部に該振分け空隙部と連通する天入賞口を設けるとともに、振分け空隙部の後部側に位置する入賞ケースの壁面に一般入賞孔を設け、さらに開閉部材の内端部に閉鎖位置で遊技球を該一般入賞孔に導く誘導溝を設ける一方、支持壁の振分け空隙部に臨む部分に閉鎖作動領域と連通する球通過孔を設けてなり、開閉部材が開放位置に変換された状態で、天入賞口から振分け空隙部に流入した遊技球を支持壁の球通過孔から閉鎖作動領域へ流入させる一方、開閉部材が閉鎖位置に変換された状態で、該開閉部材の内端部で支持壁の球通過孔を塞ぎ、かつ該内端部の誘導溝によって、天入賞口から振分け空隙部に流入した遊技球を一般入賞孔に流入させるようにしたことを特徴とするパチンコ遊技機である（請求項１）。
【００１０】
ここで、可変入賞装置の開閉部材を開閉駆動させる契機となる所定始動条件の成立要件は、第二種パチンコ遊技機では始動領域を遊技球が通過した場合と、該始動領域の球通過を駆動契機とする開閉部材の開放駆動により大入賞口から閉鎖作動領域内に流入した遊技球が特定領域を通過した場合とすることができ、第一種パチンコ遊技機または第三種パチンコ遊技機では、大当りとしての特別遊技作動が発生した場合とすることができる。
【００１１】
かかる構成にあって、開閉部材が閉鎖位置に保持されている状態、即ち、開閉部材の非駆動状態においては、天入賞口に遊技球が入賞すると、該遊技球は振分け空隙部に流入した後、開閉部材の内端部に設けられた誘導溝の誘導作用を介して一般入賞孔に流入する。一方、所定始動条件の成立を契機として開閉部材が開閉駆動され、該開閉部材が開放位置に変換された状態において、天入賞口に遊技球が入賞すると、該遊技球は振分け空隙部に流入した後、支持壁の球通過孔から閉鎖作動領域へ流入する。これにより、従来、開閉部材の開閉駆動により開放される大入賞口からの流入に限られていた可変入賞装置への遊技球の入賞態様を多様化させることができるとともに、可変入賞装置の作動態様が斬新なものとなり、興趣性が向上する。
【００１２】
また、本発明は、入賞ケースの上部位置に一般入賞口が設けられるとともに、入賞ケースの左右両側に開口された大入賞口に、支持壁上に摺動可能に支持されて、外側方に突出して大入賞口を開放する開放位置と、内側方に後退して大入賞口を閉鎖する閉鎖位置とに変換される左右一対の開閉部材が配設され、かつ、入賞ケース内で支持壁の下部に、大入賞口によって外部と連通する閉鎖作動領域が形成され、さらに、該閉鎖作動領域内に一般領域と特定領域とが設けられた可変入賞装置と、遊技球の通過により前記開閉部材を開閉させる始動領域とを備えてなり、該始動領域の球通過を駆動契機とする開閉部材の開放駆動により大入賞口から閉鎖作動領域内に流入した遊技球が特定領域を通過した場合に、開閉部材が所定開閉態様で開閉駆動される特別開放作動を発生させるとともに、該特別開放作動中にあって、開閉部材の開放駆動開始から所定終了条件の成立を契機として開閉部材の開放駆動が終了する開閉ラウンドを、特定領域の球通過を条件として、所定回数継続するようにしたパチンコ遊技機において、開放位置に変換された左右一対の開閉部材の内端相互間に生ずる空隙部を遊技球の振分け空隙部とし、入賞ケースの上部に該振分け空隙部と連通する天入賞口を設けるとともに、振分け空隙部の後部側に位置する入賞ケースの壁面に一般入賞孔を設け、さらに開閉部材の内端部に閉鎖位置で遊技球を該一般入賞孔に導く誘導溝を設ける一方、支持壁の振分け空隙部に臨む部分に閉鎖作動領域と連通する球通過孔を設けてなり、開閉部材が開放位置に変換された状態で、天入賞口から振分け空隙部に流入した遊技球を支持壁の球通過孔から閉鎖作動領域へ流入させる一方、開閉部材が閉鎖位置に変換された状態で、該開閉部材の内端部で支持壁の球通過孔を塞ぎ、かつ該内端部の誘導溝によって、天入賞口から振分け空隙部に流入した遊技球を一般入賞孔に流入させるようにしたことを特徴とするパチンコ遊技機である（請求項２）。
【００１３】
かかる構成にあって、通常遊技時において、始動領域の球通過がなく、開閉部材が閉鎖位置に保持されている状態にあっては、天入賞口に入賞して振分け空隙部に流入した遊技球は、開閉部材の内端部に設けられた誘導溝の誘導作用を介して一般入賞孔に流入する。また、始動領域の球通過を駆動契機とする開閉部材の開放駆動により、該開閉部材が開放位置に変換された状態で、天入賞口に入賞した遊技球は振分け空隙部に流入した後、支持壁の球通過孔から閉鎖作動領域へ流入する。そして、該遊技球が閉鎖作動領域内の特定領域を通過すれば、大当りとしての特別開放作動が発生することとなる。これにより、従来構成のように、始動領域の球通過を駆動契機とする開閉部材の開放駆動時に、可変入賞装置の上部位置に設けられた一般入賞口に遊技球が入賞してしまうと、該遊技球による大当り発生のチャンスが失われるものとは異なり、始動領域の球通過を駆動契機とする開閉部材の開放駆動時に、天入賞口に遊技球が入賞すれば、該遊技球を閉鎖作動領域に流入させることができるため、該遊技球による大当り発生のチャンスが生ずる。これにより、天入賞口に遊技球が入賞すると、遊技者は大きな期待感を抱くこととなり、遊技意欲を高揚させることができる。また、大入賞口から閉鎖作動領域内に流入する遊技球以外に、天入賞口からも閉鎖作動領域内に遊技球を流入させることができるため、可変入賞装置への遊技球の入賞態様が増加して、遊技の興趣性を向上させることができる。
【００１４】
また、上記構成において、支持壁の球通過孔を、特定領域と上下で略一致する位置に設ける構成（請求項３）が提案される。かかる構成にあっては、天入賞口に入賞して球通過孔から落下する遊技球の、特定領域の通過を容易に行わせる得るものとなる。これにより、通常遊技時には、特別開放作動を発生させ易くすることができる一方、特別開放作動時には、開閉ラウンドを継続させ易くすることができる。
【００１５】
【発明の実施の形態】
本発明の一実施例を、添付図面に基づいて説明する。
図１は、第二種パチンコ遊技機として構成されたパチンコ遊技機の遊技盤１を示す正面図であって、該遊技盤１には、その略中央部に可変入賞装置２が配設されており、また、該可変入賞装置２の下方には、始動領域３ａを中央に位置させてその両側に始動領域３ｂ，３ｂが略横一列状に配設されている。
【００１６】
前記始動領域３ａは、遊技球の通過により球検知信号を送出する始動スイッチＳ１（図５参照）を備えており、該始動スイッチＳ１　から球検知信号が送出されると、所定個数（例えば１５個）の賞球が払い出されるとともに、後述する可変入賞装置２の開閉部材４，４が開閉駆動され、大入賞口５，５の所定時間（例えば０．５秒間）の開放が２回行われる。また、始動領域３ｂ，３ｂは、遊技球の通過により球検知信号を送出する始動スイッチＳ２（図５参照）を夫々備えており、該始動スイッチＳ２，Ｓ２　から球検知信号が送出されると、所定個数（例えば１５個）の賞球が払い出されるとともに、開閉部材４，４が開閉駆動されて、大入賞口５，５の所定時間（例えば０．３秒間）の開放が１回行われる。
【００１７】
その他、遊技盤１には、種々の一般入賞口６，風車７等の遊技装置や、電飾装置８ａ，８ｂが所定位置に配設されている。
【００１８】
前記可変入賞装置２には、図２，図３に示すように、外郭を構成する入賞ケース９の略中央位置に、矩形状に開口された奥に深い閉鎖作動領域１０が形成されている。入賞ケース９は、左右両側に側壁部１１，１１を備え、かつ上部及び下部に天蓋部１３と底壁部１４とを備えている。天蓋部１３と底壁部１４間の上方寄り中段位置には水平状の支持壁１２が横設されており、該支持壁１２の下部が前記閉鎖作動領域１０となっている。また、支持壁１２と天蓋部１３間の左右両側に閉鎖作動領域１０を外部と連通させる大入賞口５，５が設けられている。支持壁１２上には、左右一対の開閉部材４，４が左右方向に摺動可能に支持されており、該開閉部材４，４を図示しない大入賞口開閉ソレノイド３２（図５参照）等からなる駆動手段によって往復駆動することにより、図２に示すように、外側方に突出して大入賞口５，５を開放する開放位置と、図３に示すように、内側方に後退して大入賞口５，５を閉鎖する閉鎖位置とに変換制御し得るようになっている。
【００１９】
ここで、図２に示すように、開放位置に変換された左右一対の開閉部材４，４の内端相互間に生ずる空隙部を、遊技球の振分け空隙部１５としており、該振分け空隙部１５に臨む前記支持壁１２の中央部分に、下部の閉鎖作動領域１０と連通する球通過孔１６が設けられている。該球通過孔１６は、遊技球の通過を検知して球検知信号を送出する球検知スイッチＳ３（図５参照）を備えており、該球検知スイッチＳ３から球検知信号が送出されると、所定個数（例えば１５個）の賞球が払い出される。
【００２０】
入賞ケース９の上部には、前記振分け空隙部１５と連通する天入賞口１７が設けられている。また、振分け空隙部１５の後部側に位置する入賞ケース９の壁面には一般入賞孔１８が設けられており、該一般入賞孔１８には遊技球の通過を検知して所定個数（例えば１５個）の賞球を払い出す一般入賞スイッチＳ５（図５参照）が配設されている。そして、該一般入賞孔１８と前記天入賞口１７とにより一般入賞口が構成されている。
【００２１】
また、前記開閉部材４，４の内端部には、図４ロに示すように、開閉部材４，４が閉鎖位置に変換された状態で前記一般入賞孔１８に遊技球を導く誘導溝１９が設けられている。尚、この実施例では、図４イに示すように、開閉部材４，４の内端部に左右一対の分割溝部１９ａ，１９ｂを形成し、該分割溝部１９ａ，１９ｂが突き合わされることによって、誘導溝１９が生じるようにしているが、これに代えて、開閉部材４，４の内端部の何れか一方に誘導溝１９を形成するようにしてもよい。
【００２２】
さらに、支持壁１２の後方には、その左右両側に遊技球が通過する二つの通過領域２０，２０が設けられており、各通過領域２０，２０には、遊技球の通過を検知して所定個数（例えば１５個）の賞球を払い出す球検知スイッチＳ４（図５参照）が夫々配設されている。尚、該球検知スイッチＳ４，Ｓ４　及び上述した球通過孔１６の球検知スイッチＳ３　は、後述する大当りとしての特別開放作動時における開閉ラウンド中の入賞球数を検知するカウントスイッチとしての機能も備えている。
【００２３】
また、前記開閉部材４，４は、開放位置で上方からの遊技球を受け入れる球受部２１を夫々備えている。該球受部２１は、図４イ，ロに示すように、その後部側が開放され、かつ底面が適宜の勾配で後方傾斜した傾斜案内面２２となっており、受け入れた遊技球を閉鎖位置で後方に放出して前記通過領域２０，２０に送り込むようになっている。
【００２４】
通過領域２０，２０の何れかを通過した遊技球は、前記閉鎖作動領域１０の奥部に落下する。ここで、閉鎖作動領域１０の底壁部１４の上面は若干の勾配で前方傾斜しており、奥部に落下した遊技球を前方に流下させ得るようになっている。底壁部１４の前縁部には、中央に特定領域２３が、また、その左右両側に一般領域２４，２４が区画形成されている。特定領域２３は、遊技球の通過により球検知信号を送出する特定領域スイッチＳ６（図５参照）を備えており、該特定領域スイッチＳ６から球検知信号が送出されると、開閉部材４，４が所定開閉態様で開閉駆動される大当りとしての特別開放作動が実行され、また、該特別開放作動中にあっては、所定回数を上限とする開閉ラウンドを継続させ得るようになっている。一方、一般領域２４，２４に流入した遊技球はそのまま回収され、図示しない球通路を介して遊技盤１の裏面側に排出される。
【００２５】
また、上述した支持壁１２の球通過孔１６は、前記特定領域２３と上下で略一致する位置に設けられており、球通過孔１６から落下する遊技球を特定領域２３に概ね流入させ得るようにしている。さらに、支持壁１２の下面には、球通過孔１６を通過した遊技球の揺動を抑え、垂直に落下させ得るように球通過孔１６の下部から案内筒２５が真下に向けて延出されている。
【００２６】
尚、図示省略されているが、前記閉鎖作動領域１０の底壁部１４上には、特定領域２３に至る遊技球の流下路内に位置させて、遊技球の特定領域２３の通過を容易とする状態と、困難とする状態を可変的に生じるように作動する適宜構成の誘導部材が配設される。
【００２７】
図５は、上述のパチンコ遊技機の作動を制御する制御回路を示すものである。主制御基板６０には、パチンコ遊技機の遊技作動等を制御するための基板回路が設けられており、この基板回路上には主制御用中央制御装置ＣＰＵが配設されている。この主制御用中央制御装置ＣＰＵは、遊技に関する統括的な制御を処理実行するものであって、該主制御用中央制御装置ＣＰＵには、演算処理に用いる動作プログラムを格納する記憶装置ＲＯＭと、必要なデータを随時読み書き可能な記憶装置ＲＡＭとが、データを読み書きするアドレスを指定する情報を一方的に伝えるアドレスバス（図示省略）と、データのやり取りを行なうデータバス（図示省略）を介して接続され、該主制御基板６０の基板回路を構成している。記憶装置ＲＯＭには、制御プログラム等の固定データが記憶されている。また、記憶装置ＲＡＭには、上述した始動スイッチＳ１　，Ｓ２、球検知スイッチ（カウントスイッチ）Ｓ３，Ｓ４　、一般入賞スイッチＳ５、特定領域スイッチＳ６から送出された球検知信号等の情報が一時的に記憶される記憶エリア、ソフトタイマを構成するレジスタ領域及びワークエリア等が設けられている。
【００２８】
この主制御基板６０の基板回路には、所定のクロックパルスを出力するクロック装置（図示省略）が設けられ、主制御用中央制御装置ＣＰＵに接続されている。そして主制御用中央制御装置ＣＰＵは一定間隔のクロックパルスによって、時系列的に演算処理を行い、一連の処理作動を順次実行する。また、このクロック装置により出力されたクロックパルスをカウントして、時間を計測するタイマーも接続されている。
【００２９】
また、主制御基板６０の基板回路には、主制御用中央制御装置ＣＰＵが周辺機器とデータ通信を行う入力ポート（図示省略）及び出力ポート（図示省略）が設けられている。該入力ポートには、盤面中継基板６１を介して上述した始動スイッチＳ１　，Ｓ２、球検知スイッチ（カウントスイッチ）Ｓ３，Ｓ４　、一般入賞スイッチＳ５、特定領域スイッチＳ６　が接続されており、主制御基板６０が２ｍｓ毎に各スイッチＳ１　〜Ｓ６　の遊技球検出状態を調べ、遊技球検出があるとその信号が波形整形回路により波形整形されて主制御用中央制御装置ＣＰＵに入力され、その情報が記憶装置ＲＡＭに記憶される。一方、主制御基板６０の出力ポートには、盤面中継基板６１を介して大入賞口開閉ソレノイド３２、図示しないラウンド回数等の所要情報の表示装置、誘導部材の駆動モータ等が接続されており、これらが主制御用中央制御装置ＣＰＵの制御指令信号に従って作動される。また、主制御基板６０の出力ポートを介して主制御用中央制御装置ＣＰＵの制御指令信号が、音源制御基板６３、光源制御基板６４、及び払出制御基板６５の各入力ポートに向けて一方向に発信されるようになっている。
【００３０】
ここで、主制御用中央制御装置ＣＰＵ及び上記各制御基板６３，６４，６５に設置されている各中央制御装置ＣＰＵは、所定のデータの処理を行う演算ユニット（ＡＬＵ）を連成した演算装置と、この演算装置に入出力するデータや読み込んだ命令を保管しておくレジスタと、命令を解読するデコーダ等によって構成されている。尚、該演算ユニットの連成数によって、中央制御装置ＣＰＵの演算処理能力が決まる。そして、主制御用中央制御装置ＣＰＵは、所定の形式で生成した制御指令信号を各制御基板６３，６４，６５に夫々送信し、各制御基板６３，６４，６５の中央制御装置ＣＰＵが該制御指令信号に従って所定の制御を処理実行することとなる。
【００３１】
上記音源制御基板６３には、スピーカから発生する効果音等を制御するための基板回路が設けられている。この基板回路は、音響を制御する音源制御用中央制御装置ＣＰＵに、動作プログラムや音響発生パターン等の固定データが記憶されている記憶装置ＲＯＭと、必要なデータを読み書きする記憶装置ＲＡＭと、入力ポート及び出力ポートとを備えてなる。この音源制御基板６３は、上記の主制御基板６０より入力ポートを介して受信した制御指令信号を音源制御用中央制御装置ＣＰＵで演算処理し、所定の音データを出力ポートを介してサウンドジェネレータに送信して、スピーカから所定の効果音を出力させる。
【００３２】
また、上記光源制御基板６４には、パチンコ遊技機に備えられた電飾装置８ａ，８ｂの発光ダイオードや装飾ランプ等を制御するための基板回路が設けられている。この基板回路は、発光ダイオード，装飾ランプ等の点灯，点滅等を制御する光源制御用中央制御装置ＣＰＵに、動作プログラムや、発光ダイオード，装飾ランプ等の電飾点灯パターン等の固定データが記憶されている記憶装置ＲＯＭと、必要なデータを読み書きする記憶装置ＲＡＭと、入力ポート及び出力ポートとを備えてなる。この光源制御基板６４は、上記の主制御基板６０から入力ポートを介して受信した制御指令信号を光源制御用中央制御装置ＣＰＵで演算処理し、所定の光データを出力ポートを介して、発光ダイオードや装飾ランプ等を発光作動するドライバを配した光源作動基板に送信して、所定の発光ダイオードや装飾ランプ等を所定の演出態様で点灯，点滅させる。
【００３３】
また、上記払出制御基板６５には、遊技球の貸球や賞球等を制御するための基板回路が設けられている。この基板回路は、賞球ユニットや貸球ユニット等に内蔵されている各種ソレノイドを作動して、所定の賞球や貸球の供給を制御する払出制御用中央制御装置ＣＰＵに、動作プログラム、賞球や貸球の球数パターン等の固定データが記憶されている記憶装置ＲＯＭと、球数カウントデータ等の必要なデータを読み書きする記憶装置ＲＡＭと、入力ポート及び出力ポートとを備えてなる。この払出制御基板６５は、主制御基板６０から受信した制御指令信号に従って払出制御用中央制御装置ＣＰＵで演算処理し、所定のデータを出力ポートを介して払出中継基板に送信し、このデータにより貸球ユニットや賞球ユニット内の各種ソレノイドを作動させて、所定の賞球や貸球の払い出しを実行する。また、払出制御基板６５には、プリペイド金額を記憶したプリペイドカードの読み書きを行うプリペイドカードユニットが、該プリペイドカードのデータ処理を中継するＣＲ接続基板を介して接続されており、プリペイド金額の残額データ等が送受される。
【００３４】
次に、図５に示した制御回路の作動制御によるパチンコ遊技機の作動について説明する。
遊技球が図示しない発射装置から遊技盤１に打ち出され、この遊技球が始動領域３ａ，３ｂ，３ｂの何れかを通過すると、可変入賞装置２の開閉部材４，４が瞬時的に１回または２回開閉駆動される。即ち、始動領域３ａを遊技球が通過した場合には、始動スイッチＳ１　から送出される球検知信号を主制御基板６０が認識し、この信号により、主制御基板６０の主制御用中央制御装置ＣＰＵは、記憶装置ＲＯＭに記憶されている制御プログラムに基づいて大入賞口開閉ソレノイド３２を作動させ、開閉部材４，４を所定時間（例えば０．５秒間）、２回開放駆動させる。また、始動領域３ｂ，３ｂの何れかを遊技球が通過した場合には、始動スイッチＳ２　から送出される球検知信号に基づいて主制御用中央制御装置ＣＰＵが大入賞口開閉ソレノイド３２を作動させ、開閉部材４，４を所定時間（例えば０．３秒間）に亘って１回開放駆動させる。
【００３５】
そして、この開閉部材４，４の開放駆動中に、図６イに示すように、該開閉部材４，４の球受部２１，２１が遊技球ｐを受け入れると、該遊技球ｐは開閉部材４，４の閉鎖位置への変換駆動に伴って大入賞口５，５から通過領域２０，２０へ送り込まれ、図６ロに示すように、該通過領域２０，２０を通過して閉鎖作動領域１０の奥部に落下し、図示しない誘導部材の障害を経て特定領域２３及び一般領域２４，２４の何れかに流入する。ここで、遊技球ｐが特定領域２３を通過すると、特定領域スイッチＳ６　により特定領域２３の球通過が検知され、その球検知信号を主制御基板６０が認識することにより、開閉部材４，４が所定開閉態様で開閉駆動される大当りとしての特別開放作動が実行される。
【００３６】
また、始動領域３ａ，３ｂ，３ｂの何れかの球通過を駆動契機とする開閉部材４，４の開放駆動中に、図７イに示すように、天入賞口１７に遊技球ｐが入賞すると、該遊技球ｐは振分け空隙部１５に流入した後、図７ロに示すように、支持壁１２の球通過孔１６から落下して閉鎖作動領域１０に流入する。ここで、上述したように、球通過孔１６が閉鎖作動領域１０内の特定領域２３と上下で略一致する位置に設けられていることにより、球通過孔１６から落下する遊技球は特定領域２３に概ね流入することとなる。そして、該遊技球が特定領域２３を通過すれば、上記と同様に、大当りとしての特別開放作動が実行されることとなる。
【００３７】
この特別開放作動により、大入賞口開閉ソレノイド３２が作動して、開閉部材４，４を所定制限開閉回数（例えば１８回）開閉させ、かつ一回の開閉毎に所定時間（例えば０．８　秒間）の開放状態を生じさせる開閉ラウンドが開始される。一回の開閉ラウンドは、所定制限開閉回数（例えば１８回）の開閉が満了するか、該所定制限開閉回数内でカウントスイッチを兼ねた球検知スイッチＳ３，Ｓ４，Ｓ４　により所定個数（例えば１０個）の遊技球の入賞検知がなされるか、またはその入賞した各遊技球が特定領域２３の特定領域スイッチＳ６　を通過するかの何れかによる所定終了条件の成立を契機として終了する。そして、この開閉ラウンド中または開閉ラウンド終了後の所定有効時間（例えば２．３秒間）以内に、特定領域スイッチＳ６　によって特定領域２３の球通過が検知されると、次の開閉ラウンドへ進む条件が充足され、開閉ラウンドが再開される。この開閉ラウンドが所定継続可能回数（例えば１５回）を上限として継続されると、特別開放作動が終了する。尚、この特別開放作動中にあって、通過領域２０，２０または球通過孔１６の球通過により、球検知スイッチＳ３，Ｓ４，Ｓ４　から球検知信号が送出される度に所定個数（例えば１５個）の賞球が払い出される。
【００３８】
かかる構成にあって、始動領域３ａ，３ｂ，３ｂの何れかの球通過を駆動契機とする開閉部材４，４の開放駆動により、該開閉部材４，４が開放位置に変換された状態で、天入賞口１７に遊技球が入賞すると、該遊技球を振分け空隙部１５に流入させた後、支持壁１２の球通過孔１６から閉鎖作動領域１０へ流入させることができ、該遊技球が特定領域２３を通過することによる大当り発生のチャンスを生じさせることができる。これにより、始動領域３ａ，３ｂ，３ｂの何れかの球通過を駆動契機とする開閉部材４，４の開放駆動時に、天入賞口１７に遊技球が入賞すると、遊技者は大きな期待感を抱くこととなり、遊技意欲を高揚させることができる。また、大入賞口５，５から閉鎖作動領域１０内に流入する遊技球以外に、天入賞口１７からも閉鎖作動領域１０内に遊技球を流入させることができるため、可変入賞装置２への遊技球の入賞態様が増加するとともに、作動態様が斬新なものとなり、遊技の興趣性を向上させることができる。
【００３９】
また、支持壁１２の球通過孔１６が、特定領域２３と上下で略一致する位置に設けられているので、大入賞口５，５から閉鎖作動領域１０内に流入する遊技球に比して、天入賞口から球通過孔１６を介して閉鎖作動領域１０内に流入する遊技球の方が、特定領域２３を通過する可能性が高いものとなる。これにより、通常遊技時には、特別開放作動を発生させ易くすることができる一方、特別開放作動時には、開閉ラウンドを継続させ易くすることができる。
【００４０】
尚、上記実施例では、第二種パチンコ遊技機として構成されたパチンコ遊技機について説明したが、上述した可変入賞装置２は、第一種パチンコ遊技機、または第三種パチンコ遊技機にも適用することが可能である。この場合、開閉部材４，４を開閉駆動させる契機となる所定始動条件の成立要件としては、第一種パチンコ遊技機では、図柄表示装置に所定の当り図柄態様が確定表示された場合に実行される特別遊技作動の発生時とすることができ、また、第三種パチンコ遊技機では、図柄表示装置に所定の当り図柄態様が確定表示された場合に、開放制御される普通電動役物の内部の特別作動領域を遊技球が通過した場合に実行される特別遊技作動の発生時とすることができる。
【００４１】
【発明の効果】
本発明は、上述したように、請求項１の構成にかかるパチンコ遊技機にあっては、開閉部材が閉鎖位置に保持されている状態、即ち、開閉部材の非駆動状態において、天入賞口に遊技球が入賞すると、該遊技球を振分け空隙部に流入させた後、開閉部材の内端部に設けられた誘導溝の誘導作用を介して一般入賞孔に流入させることができる一方、所定始動条件の成立を契機として開閉部材が開閉駆動され、該開閉部材が開放位置に変換された状態において、天入賞口に遊技球が入賞すると、該遊技球を振分け空隙部に流入させた後、支持壁の球通過孔から閉鎖作動領域へ流入させることができる。これにより、従来、開閉部材の開閉駆動により開放される大入賞口からの流入に限られていた可変入賞装置への遊技球の入賞態様を多様化させることができるとともに、可変入賞装置の作動態様が斬新なものとなり、興趣性が向上する。
【００４２】
また、請求項２の構成にかかるパチンコ遊技機にあっては、通常遊技時において、始動領域の球通過がなく、開閉部材が閉鎖位置に保持されている状態にあって、天入賞口に入賞して振分け空隙部に流入した遊技球を、開閉部材の内端部に設けられた誘導溝の誘導作用を介して一般入賞孔に流入させることができる一方、始動領域の球通過を駆動契機とする開閉部材の開放駆動により、該開閉部材が開放位置に変換された状態で、天入賞口に入賞した遊技球を、振分け空隙部に流入させた後、支持壁の球通過孔から閉鎖作動領域へ流入させることができる。そして、該遊技球が閉鎖作動領域内の特定領域を通過すれば、大当りとしての特別開放作動が発生することとなる。これにより、従来構成のように、始動領域の球通過を駆動契機とする開閉部材の開放駆動時に、可変入賞装置の上部位置に設けられた一般入賞口（天入賞口）に遊技球が入賞してしまうと、該遊技球による大当り発生のチャンスが失われるものとは異なり、始動領域の球通過を駆動契機とする開閉部材の開放駆動時に、天入賞口に遊技球が入賞すれば、該遊技球を閉鎖作動領域に流入させることができるため、該遊技球による大当り発生のチャンスが生ずる。これにより、天入賞口に遊技球が入賞すると、遊技者は大きな期待感を抱くこととなり、遊技意欲を高揚させることができる。また、大入賞口から閉鎖作動領域内に流入する遊技球以外に、天入賞口からも閉鎖作動領域内に遊技球を流入させることができるため、可変入賞装置への遊技球の入賞態様が増加して、遊技の興趣性を向上させることができる。
【００４３】
さらに、請求項２の構成において、支持壁の球通過孔を、特定領域と上下で略一致する位置に設けることにより（請求項３）、天入賞口に入賞して球通過孔から落下する遊技球の、特定領域の通過を容易に行わせる得るものとなる。これにより、通常遊技時には、特別開放作動を発生させ易くすることができる一方、特別開放作動時には、開閉ラウンドを継続させ易くすることができる。
【図面の簡単な説明】
【図１】本発明にかかるパチンコ遊技機の遊技盤を示す正面図である。
【図２】開閉部材が開放位置に変換された状態を示す可変入賞装置の斜視図である。
【図３】開閉部材が閉鎖位置に変換された状態を示す可変入賞装置の斜視図である。
【図４】イは開放位置に変換された開閉部材の斜視図、ロは閉鎖位置に変換された開閉部材の斜視図である。
【図５】遊技を制御する制御回路のブロック回路図である。
【図６】遊技球が入賞口を介して閉鎖作動領域に流入する過程をイ，ロで順に示した作用説明図である。
【図７】遊技球が天入賞口を介して閉鎖作動領域に流入する過程をイ，ロで順に示した作用説明図である。
【図８】従来構成の可変入賞装置の正面図である。
【符号の説明】
２　可変入賞装置
３ａ，３ｂ　始動領域
４　開閉部材
５　大入賞口
９　入賞ケース
１０　閉鎖作動領域
１２　支持壁
１５　振分け空隙部
１６　球通過孔
１７　天入賞口
１８　一般入賞孔
１９　誘導溝
２３　特定領域
２４　一般領域
ｐ　遊技球
【図１】
2004016748.tif 000003
【図２】
2004016748.tif 000004
【図３】
2004016748.tif 000005
【図４】
2004016748.tif 000006
【図５】
2004016748.tif 000007
【図６】
2004016748.tif 000008
【図７】
2004016748.tif 000009
【図８】
2004016748.tif 000010